(57)【要約】【課題】自宅への訪問者の声や顔を確認しなくても、訪問者が誰であるかを予測可能にした訪問者確認システムを提供する。【解決手段】携帯装置毎に異なる情報を含むプロファイルを無線通信で送出する携帯装置と、携帯装置からプロファイルを受信すると、屋内信号装置を動作させ、プロファイルを表示部に表示する情報取得装置と、を有する。【選択図】図１
2012199881.tif 000002
【特許請求の範囲】
【請求項１】
携帯装置毎に異なる情報を含むプロファイルを無線通信で送出する携帯装置と、
前記携帯装置から前記プロファイルを受信すると、屋内信号装置を動作させ、該プロファイルを表示部に表示する情報取得装置と、
を有する訪問者確認システム。
【請求項２】
表示部と、
携帯装置毎に異なる情報を含むプロファイルを携帯装置から受信する無線通信部と、
前記プロファイルを前記無線通信部から受け取ると、屋内信号装置を動作させ、該プロファイルを前記表示部に表示させる制御部と、
を有する情報取得装置。
【請求項３】
請求項２記載の情報取得装置において、
前記制御部に、訪問者を特定するための情報である指定情報の種類が予め登録され、
前記制御部は、
登録された前記指定情報の種類に対応する指定情報が前記プロファイルに含まれているか否かを判定し、該指定情報が該プロファイルに含まれていない場合、該指定情報を要求する旨の信号を前記無線通信部を介して前記携帯装置に送信する、情報取得装置。
【請求項４】
情報取得装置と無線で通信接続される携帯装置であって、
前記情報取得装置とデータを送受信するためのアンテナと、
携帯装置毎に異なる情報を含むプロファイルを記憶する記憶部と、
前記プロファイルを要求する旨の信号を前記アンテナを介して前記情報取得装置から受信すると、前記プロファイルを前記アンテナを介して前記情報取得装置に送信する制御部と、
を有する携帯装置。
【請求項５】
表示部、無線通信部および制御部を有する情報取得装置による情報処理方法であって、
前記無線通信部が携帯装置毎に異なる情報を含むプロファイルを携帯装置から受信し、
前記制御部は、前記プロファイルを前記無線通信部から受け取ると、屋内信号装置を動作させ、該プロファイルを前記表示部に表示させる、情報処理方法。
【請求項６】
情報取得装置と無線で通信接続される携帯装置に実行させるためのプログラムであって、
携帯装置毎に異なる情報を含むプロファイルを要求する旨の信号を無線通信で前記情報取得装置から受信すると、該プロファイルを記憶部から読み出し、
読み出したプロファイルを無線通信で前記情報取得装置に送信する処理を前記携帯装置に実行させるためのプログラム。
【発明の詳細な説明】
【技術分野】
【０００１】
本発明は、訪問者確認システム、情報取得装置、携帯装置、情報処理方法、および携帯装置に実行させるためのプログラムに関する。
【背景技術】
【０００２】
マンションや一戸建ての住宅には、防犯のために、居住者が玄関を開ける前に訪問者を確認するためのインターフォンが設置されていることが多い。インターフォンは、住宅の 玄関外の脇に設けられる子機と、住宅の室内に設けられる親機とを有し、子機と親機は信号線で接続されている。親機および子機のそれぞれには、電話機として機能する、マイクとスピーカが設けられている。
【０００３】
このインターフォンの動作を簡単に説明する。訪問者が玄関の外で子機に設けられた呼び出しボタンを押すと、呼び出し信号が信号線を介して親機に伝送され、呼び出し信号を受信した親機は、玄関外に訪問者が居ることを居住者に通知するためにチャイムを鳴らす。チャイムに気づいた居住者が親機のオフフックボタンを押すと、親機と子機のそれぞれのマイクとスピーカが起動し、居住者はマイクおよびスピーカを介して訪問者と会話できるようになる。その結果、居住者は、訪問者と直接会わなくても、訪問者が誰で、何の目的で訪問してきたかを音声で確認できる。
【０００４】
このような、電話機能を備えたインターフォンでは、居住者は訪問者と会話をしなければ、訪問者が誰であるかを確認できない。そのため、訪問者が悪質な訪問販売員であると、居住者は販売員が勧める商品を断るのに手間がかかったり、販売員との会話で不快な思いをしたりすることがある。
【０００５】
インターフォンには、上記電話機能の他に、訪問者を撮影するためのカメラが子機に設けられ、カメラで撮影された訪問者を表示する表示部が親機に設けられたものもある。このような、撮影機能を備えたインターフォンでは、訪問者が子機の呼び出しボタンを押すと、カメラが起動し、カメラで撮影された訪問者の画像が室内の表示部に表示される。居住者は、オフフックボタンを押す前に、誰が訪問してきたかを表示部で確認できるので、訪問者と会話する必要がないと判断すれば、オフフックボタンを押さなければよい。
【０００６】
撮影機能を備えたインターフォンであっても、訪問者の立ち位置が撮影範囲の外であったり、訪問者の立ち位置が撮影範囲内であっても顔を伏せていたりすると、居住者は訪問者が誰であるかを確認できないことがある。
【０００７】
住宅用ではないが、訪問者の音声および顔以外の情報で訪問者を確実に特定する方法が、特許文献１に開示されている。この文献には、来客受付に設置されたゲート装置が、来客の携帯電話機から端末ＩＤを読み出し、読み出した端末ＩＤと同じ端末ＩＤを含む来客予約情報がサーバ装置に登録されていることを認識すると、入退場制御を行うフラッパーゲートのフラップを開いて、来客の入場を許可するシステムが開示されている。
【先行技術文献】
【特許文献】
【０００８】
【特許文献１】特開２００７−２４１５４６号公報
【発明の概要】
【発明が解決しようとする課題】
【０００９】
引用文献１に開示されたシステムでは、訪問者は自分の携帯電話機の端末ＩＤを含む来客予約情報をサーバ装置のデータベースに予め登録しておく必要があり、来客予約情報を登録していない場合、入場が許可されない。住宅のインターフォンの代わりに引用文献１に開示されたシステムを用いると、居住者の友人や知人が訪問者になる場合であっても、来客予約情報をシステムに予め登録する必要があり、友人や知人に手間をかけさせてしまうという問題がある。また、引用文献１に開示されたシステムでは、居住者の知らない、突然の訪問者には対応できない。その結果、居住者の知らない訪問者が、宅配業者のように居住者に用事のある者であっても、悪質な訪問販売員ではないかと、居住者に不安を抱かせてしまうという問題がある。
【００１０】
本発明は上述したような技術が有する問題点を解決するためになされたものであり、自宅への訪問者の声や顔を確認しなくても、訪問者が誰であるかを予測可能にした訪問者確認システム、情報取得装置、携帯装置、情報処理方法、および携帯装置に実行させるためのプログラムを提供することを目的とする。
【課題を解決するための手段】
【００１１】
上記目的を達成するための本発明の訪問者確認システムは、
携帯装置毎に異なる情報を含むプロファイルを無線通信で送出する携帯装置と、
前記携帯装置から前記プロファイルを受信すると、屋内信号装置を動作させ、該プロファイルを表示部に表示する情報取得装置と、
を有する。
【００１２】
また、本発明の情報取得装置は、
表示部と、
携帯装置毎に異なる情報を含むプロファイルを携帯装置から受信する無線通信部と、
前記プロファイルを前記無線通信部から受け取ると、屋内信号装置を動作させ、該プロファイルを前記表示部に表示させる制御部と、
を有する構成である。
【００１３】
また、本発明の携帯装置は、情報取得装置と無線で通信接続される携帯装置であって、
前記情報取得装置とデータを送受信するためのアンテナと、
携帯装置毎に異なる情報を含むプロファイルを記憶する記憶部と、
前記プロファイルを要求する旨の信号を前記アンテナを介して前記情報取得装置から受信すると、前記プロファイルを前記アンテナを介して前記情報取得装置に送信する制御部と、
を有する構成である。
【００１４】
また、本発明の情報処理方法は、表示部、無線通信部および制御部を有する情報取得装置による情報処理方法であって、
前記無線通信部が携帯装置毎に異なる情報を含むプロファイルを携帯装置から受信し、
前記制御部は、前記プロファイルを前記無線通信部から受け取ると、屋内信号装置を動作させ、該プロファイルを前記表示部に表示させるものである。
【００１５】
さらに、本発明のプログラムは、情報取得装置と無線で通信接続される携帯装置に実行させるためのプログラムであって、
携帯装置毎に異なる情報を含むプロファイルを要求する旨の信号を無線通信で前記情報取得装置から受信すると、該プロファイルを記憶部から読み出し、
読み出したプロファイルを無線通信で前記情報取得装置に送信する処理を前記携帯装置に実行させるものである。
【発明の効果】
【００１６】
本発明によれば、自宅への訪問者の声や顔を確認しなくても、訪問者が誰であるかを予測でき、訪問者に対して抱く不安が軽減する。
【図面の簡単な説明】
【００１７】
【図１】本発明の一実施形態の訪問者確認システムの一構成例を示すブロック図である。
【図２】図１に示した情報取得装置の動作を示すフローチャートである。
【図３】第１の実施形態における携帯装置の一構成例を示すブロック図である。
【図４】第１の実施形態における情報取得装置の構成を説明するためのブロック図である。
【図５】第１の実施形態における情報取得装置の動作を示すフローチャートである。
【図６】第１の実施形態の訪問者確認システムの動作の一例を示すシーケンス図である。
【図７】第２の実施形態における情報取得装置の動作を示すフローチャートである。
【図８】第２の実施形態の訪問者確認システムの動作の一例を示すシーケンス図である。
【発明を実施するための形態】
【００１８】
本発明の一実施形態の訪問者確認システムの構成を説明する。図１は本発明の一実施形態の訪問者確認システムの一構成例を示すブロック図である。
【００１９】
図１に示すように、訪問者確認システムは、住宅に設置される情報取得装置２０と、訪問者が携帯する携帯装置１０とを有する。情報取得装置２０は、住宅の玄関外の脇に設置される子機２１と、室内に設置される親機２３とを有する。室内には、訪問してきた人が居ることを音または光で居住者に通知するための屋内信号装置（不図示）が設けられている。音で通知する屋内信号装置にはチャイムやブザーがあり、光で通知する屋内信号装置にはエレクトロニックフラッシュのようなライトがある。
【００２０】
携帯装置１０について説明する。図１に示すように、携帯装置１０は無線通信部１１１を有する。無線通信部１１１には、図に示さないメモリが設けられ、メモリにプロファイルが格納されている。プロファイルは、携帯装置１０の構造および性能などの仕様に関する情報の他に、携帯装置１０の装置毎に異なる情報を含む。装置毎に異なる情報とは、例えば、携帯装置１０が携帯電話機であれば電話番号であり、携帯装置１０が電子メールを送受信可能な端末であれば、電子メールアドレスである。
【００２１】
無線通信部１１１は、情報取得装置２０の子機２１と無線で通信可能になると、プロファイルを子機２１に送信する。無線通信部１１１は、例えば、ＲＦタグである。なお、携帯装置１０は、携帯電話機および簡易型携帯電話（Personal Handy-phone System）を含む無線通信端末、ＰＤＡ（Personal Digital Assistant）、ならびに携帯型ゲーム機などであってもよい。また、携帯装置１０が電子ブックと呼ばれる携帯端末であってもよい。
【００２２】
続いて、情報取得装置２０について説明する。子機２１には、インターフォンの呼び出しボタンの代わりに、携帯装置１０とデータを送受信するための無線通信部１２１が設けられている。無線通信部１２１は、例えば、ＲＦタグリーダ／ライタである。親機２３は、表示部１２５および制御部１２３を有する。制御部１２３は、子機２１および屋内信号装置（不図示）のそれぞれと信号線で接続されている。
【００２３】
無線通信部１２１は、携帯装置１０の無線通信部１１１と通信可能になると、プロファイルを無線通信部１１１から受信し、受信したプロファイルを制御部１２３に渡す。制御部１２３は、無線通信部１２１からプロファイルを受け取ると、屋内信号装置を動作させるとともに、プロファイルを表示部１２５に表示させる。
【００２４】
次に、図１に示した訪問者確認システムにおける情報取得装置２０の動作を説明する。図２は図１に示した情報取得装置の動作を示すフローチャートである。
【００２５】
訪問者が玄関外の脇に設置された子機２１に携帯装置１０をかざすと、携帯装置１０の無線通信部１１１と子機２１の無線通信部１２１とが通信可能な状態になる。続いて、無線通信部１１１がプロファイルを無線通信部１２１に送信すると、無線通信部１２１は、プロファイルを無線通信部１１１から受信する（ステップ１００１）。その後、制御部１２３は、無線通信部１２１からプロファイルを受け取ると、屋内信号装置を動作させ、プロファイルを表示部１２５に表示させる（ステップ１００２）。
【００２６】
このようにして、住宅内の屋内信号装置が動作することで、居住者は、訪問者が玄関前に居ることを知り、また、表示部１２５に表示されるプロファイルには、携帯装置に固有な情報が含まれているので、誰が訪問してきたかを予測できる。
以下に、訪問者確認システムについて、具体的な実施形態を説明する。
【００２７】
（第１の実施形態）
本実施形態の訪問者確認システムについて説明する。図３は本実施形態の訪問者確認システムにおける携帯装置１６の一構成例を示すブロック図であり、図４は本実施形態の訪問者確認システムにおける情報取得装置２６の構成を説明するためのブロック図である。
【００２８】
はじめに、携帯装置１６の構成を説明する。本実施形態では、図１に示した携帯装置１０が携帯電話機であるものとする。
【００２９】
図３（ａ）は本実施形態の携帯装置の一構成例を示すブロック図であり、図３（ｂ）は図３（ａ）に示すＲＦタグの一構成例を示すブロック図である。
【００３０】
携帯装置１６は、基地局を介して通信するための通信部１１５と、記憶部１１４と、表示部１１６と、電話機能を含む全体を制御する制御部１１３と、ユーザが指示を入力するための操作部１１７と、ＲＦタグ１１２とを有する。ＲＦタグ１１２が図１に示した無線通信部１１１に相当する。なお、本実施形態では、訪問者の確認方法に関連する、携帯装置１６の構成と動作について詳しく説明するものとし、携帯電話としての機能についての詳細な説明を省略する。
【００３１】
図３（ｂ）に示すように、ＲＦタグ１１２は、アンテナ１５１と、ＩＣ（Integrated Circuit）チップ１５５とを有する。ＩＣチップ１５５には、記憶部１５２および制御部１５３が設けられている。制御部１５３は、記憶部１５２およびアンテナ１５１のそれぞれと接続されている。制御部１５３は、プログラムにしたがって処理を実行するＣＰＵ（Central Processing Unit）（不図示）を含む構成である。記憶部１５２には、プロファイルの他に、ＣＰＵが実行するプログラムが格納されている。
【００３２】
制御部１５３は、プロファイルを要求する旨の信号であるプロファイル要求信号をアンテナ１５１を介して情報取得装置２６から受信すると、記憶部１５２からプロファイルを読み出してアンテナ１５１を介して情報取得装置２６に送信する。
【００３３】
次に、情報取得装置２６の構成を、図４を参照して説明する。図４には、情報取得装置２６の構成の他に、説明のために、室内に設置される屋内信号装置３０を図に示している。
【００３４】
図４に示すように、情報取得装置２６は、子機２２および親機２４を有する。子機２２が図１に示した子機２１に相当し、親機２４が図１に示した親機２３に相当する。子機２２はＲＦタグ通信部１２２を有する。親機２４は、表示部１２５、記憶部１２７および制御部１２３を有する。制御部１２３は、ＲＦタグ通信部１２２および屋内信号装置３０のそれぞれと信号線で接続されている。制御部１２３は、プログラムにしたがって処理を実行するＣＰＵ（不図示）と、プログラムを格納するためのメモリ（不図示）と、時間を計測するタイマー（不図示）とを有する。
【００３５】
制御部１２３は、ＲＦタグ通信部１２２を介して携帯装置１６にプロファイル要求信号を送信する。制御部１２３は、携帯装置１６からプロファイルを受信すると、屋内信号装置３０を動作させ、表示部１２５にプロファイルを表示させる。また、制御部１２３は、携帯装置１６からプロファイルを受信すると、その受信日時の情報と一緒にプロファイルを記憶部１２７に格納する。
【００３６】
なお、情報取得装置２６の起動方法の一例を説明する。制御部１２３と信号線を介して接続される人感知センサ（不図示）を、玄関外の子機２２の近くに予め設けておく。訪問者が子機２２に近づき、人感知センサが人を感知すると、検出信号を制御部１２３に送信する。制御部１２３は、人感知センサから検出信号を受信すると起動し、ＲＦタグ通信部１２２を介してプロファイル要求信号を送出する。
【００３７】
出入口がオートロック式の集合住宅の場合、次のように行ってもよい。親機２４に相当する装置が各戸に設けられている。子機２２に相当する呼び出し装置は、集合住宅のエントランスに設けられ、集合住宅の全戸で共有される。訪問者が呼び出し装置を操作して訪問先の部屋番号を入力すると、呼び出し装置が、部屋番号に対応する住宅の親機２４と通信可能に接続され、制御部１２３に起動信号を送信するとともに、ＲＦタグ通信部１２２を起動する。起動信号を受信した親機２４の制御部１２３は、ＲＦタグ通信部１２２を介してプロファイル要求信号を送出する。これらの方法では、情報取得装置２６は携帯装置１６と通信可能な状態であるか否かを認識しなくてもよい。情報取得装置２６の起動方法は、上述した方法に限定されない。以下では、情報取得装置２６の起動に関する詳細な説明を省略する。
【００３８】
次に、本実施形態の訪問者確認システムの動作を説明する。屋内信号装置３０がチャイムであるものとする。図５は本実施形態の情報取得装置の動作を示すフローチャートであり、図６は本実施形態の訪問者確認システムの動作の一例を示すシーケンス図である。
【００３９】
訪問者が携帯装置１６を子機２２にかざすと、情報取得装置２６は子機２２のＲＦタグ通信部１２２を介してプロファイル要求信号を携帯装置１６に送信する（図５のステップ１０１１、図６のステップ１０２１）。携帯装置１６は、プロファイル要求信号を情報取得装置２６から受信すると、プロファイルを情報取得装置２６の子機２２に送信する（図６のステップ１０２２）。
【００４０】
情報取得装置２６は、携帯装置１６からプロファイルを受信すると、チャイムを鳴らし、プロファイルを表示部１２５に表示させる（図５のステップ１０１３、図６のステップ１０２３）。続いて、情報取得装置２６は、プロファイルおよびその受信日時の情報を記憶部１２７に格納する（図５のステップ１０１４、図６のステップ１０２４）。居住者が在宅していれば、居住者は、チャイムで訪問者が玄関前に居ることを認識し、表示部１２５に表示されたプロファイルで訪問者が誰であるかを予測できる。一方、居住者が不在のときに誰か訪問してきても、居住者は、記憶部１２７に保存されたプロファイルおよびその受信日時を帰宅後に見ることで、誰が何時に訪問してきたかを知ることができる。
【００４１】
なお、携帯装置１６がプロファイル要求信号の受信に失敗する場合も考えられる。そこで、図５のステップ１０１５に示すように、プロファイル要求信号の送信を、予め決めた回数ｎ（ｎは２以上の整数）に達するまで行うようにしてもよい。
【００４２】
本実施形態によれば、訪問者が玄関外の子機に携帯装置をかざすことで、訪問したことが居住者に通知されるともに、携帯装置毎に異なる情報を含むプロファイルが居住者に提供される。その結果、居住者は少なくとも訪問者のプロファイルを知ることができる。プロファイルに含まれる、携帯装置毎に異なる情報が電話番号である場合、居住者は、知人や友人の電話番号を既に知っているため、訪問者が知人や友人であれば、プロファイルに含まれる電話番号から訪問者をすぐに確認できる。また、携帯装置毎に異なる情報が電子メールアドレスである場合、居住者は、訪問者が知らない人であっても、アドレスのドメインから訪問者の所属する会社などを予測することが可能となる。その結果、突然の訪問者に対して、居住者の抱く不安が軽減する。
【００４３】
また、訪問者はプロファイルを居住者に知らせなければ訪問したことを居住者に通知できないので、誰かがいたずらで故意にチャイムを鳴らした場合でも、居住者は、誰がいたずらをしたかをプロファイルから予測することが可能となる。携帯装置毎に異なる情報が電子メールアドレスである場合、いたずらした人の所属をドメインから予測でき、携帯装置毎に異なる情報が電話番号である場合、いたずらした人に電話をかけて注意することができる。
【００４４】
また、携帯装置から取得するプロファイルを記憶部に記録するようにすれば、居住者は、留守中に誰か来ても、帰宅後にプロファイルを表示部で確認することで、誰が来たかを知ることができる。また、プロファイルと共にその受信日時を記録することで、訪問者の訪問日時を知ることができる。
【００４５】
なお、本実施形態の携帯装置１６では、上述したように、ＣＰＵがプログラムを実行することで制御部１５３がＲＦタグ１１２に仮想的に構成される場合で説明したが、制御部１５３の機能を実行する専用の演算回路をＩＣチップ１５５に設けてもよい。
【００４６】
また、図３では、ＲＦタグ１１２が制御部１１３と通信可能に接続されている構成を示しているが、ＲＦタグ１１２と制御部１１３は接続されていなくてもよい。この場合、磁束発生部がＲＦタグ通信部１２２に予め設けられ、訪問者が携帯装置１６を子機２２にかざすと、電磁誘導の法則に基づいてアンテナ１５１に電力が生じ、その電力がＩＣチップ１５５に供給されるため、ＲＦタグ１１２は携帯装置１６の電池（不図示）から電力供給を受ける必要がない。ＲＦタグ１１２の記憶部１５２にプロファイルを登録するには、携帯装置１６の販売店にＲＦタグリーダ／ライタを設置し、販売員は携帯装置１６を販売する際、プロファイルをＲＦタグリーダ／ライタに入力し、ＲＦタグリーダ／ライタを介してＲＦタグ１１２の記憶部１５２に記憶させればよい。
【００４７】
（第２の実施形態）
本実施形態では、表示部に表示される情報から、訪問者が誰であるかをより明確に特定できるようにしたものである。本実施形態では、第１の実施形態と同様な構成についての詳細な説明を省略し、第１の実施形態と異なる点を詳しく説明する。
【００４８】
本実施形態の携帯装置１６の構成を、図３を参照して説明する。記憶部１５２には、携帯装置１６の所有者を特定するための情報である指定情報が登録されている。指定情報は、例えば、携帯電話の通信会社であるキャリアに登録される情報のうち、携帯装置１６の所有者の氏名や住所の情報がある。指定情報が予めプロファイルに含まれていてもよいが、以下では、指定情報がプロファイルとは別に記憶部１５２に格納されている場合で説明する。
【００４９】
制御部１５３は、プロファイルを情報取得装置２６に送信した後、指定情報を要求する旨の信号である指定情報要求信号を、アンテナ１５１を介して情報取得装置２６から受信すると、記憶部１５２内に指定情報が格納されているか否かを調べる。そして、記憶部１５２内に指定情報が格納されていれば、制御部１５３は、指定情報を情報取得装置２６に送信する。その際、制御部１５３は、指定情報を含むプロファイルを情報取得装置２６に送信してもよい。
【００５０】
次に、本実施形態の情報取得装置２６の構成を、図４を参照して説明する。制御部１２３内のメモリ（不図示）には、指定情報の種類が予め登録されている。情報取得装置２６の製造会社が製品の出荷前に指定情報の種類を情報取得装置２６に登録してもよく、情報取得装置２６が住宅に設置された後に居住者が指定情報の種類を情報取得装置２６に登録してもよい。
【００５１】
制御部１２３は、携帯装置１６からプロファイルを受信すると、予めメモリ（不図示）に登録されている、指定情報の種類に対応する指定情報がプロファイルに含まれているか否かを調べる。プロファイルに指定情報が含まれていない場合、制御部１２３は、指定情報要求信号を携帯装置１６に送信する。そして、制御部１２３は、携帯装置１６から指定情報を受信すると、指定情報を表示部１２５に表示させる。その際、制御部１２３は、指定情報を含むプロファイルを表示部１２５に表示させてもよい。
【００５２】
なお、図３に示すようにＲＦタグ１１２と制御部１１３が通信可能に接続されている場合、指定情報が記憶部１５２内に格納されていなければ、制御部１５３が制御部１１３に指定情報があるか否かを問い合わせてもよい。指定情報が記憶部１１４に格納されている場合、制御部１１３は、制御部１５３からの問い合わせに応じて、指定情報を制御部１５３に返信してもよい。
【００５３】
次に、本実施形態の訪問者確認システムの動作を説明する。本実施形態も、屋内信号装置３０がチャイムであるものとする。
【００５４】
図７は本実施形態の情報取得装置の動作を示すフローチャートであり、図８は本実施形態の訪問者確認システムの動作の一例を示すシーケンス図である。図７に示すステップ１１０１、１１０２および１１０７が図５に示したステップ１０１１、１０１２および１０１５に対応し、また、図８に示すステップ１２０１および１２０２が図６に示したステップ１０２１および１０２２に対応しているため、それらの処理の詳細な説明を省略する。
【００５５】
携帯装置１６がプロファイルを情報取得装置２６に送信した後、情報取得装置２６が携帯装置１６からプロファイルを受信すると、プロファイルの内容を確認し（図８のステップ１２０３）、プロファイルに指定情報が含まれているか否かを調べる（図７のステップ１１０３）。プロファイルに指定情報が含まれていない場合、情報取得装置２６は、指定情報要求信号を携帯装置１６に送信する（図７のステップ１１０４、図８のステップ１２０４）。
【００５６】
携帯装置１６は、指定情報要求信号を情報取得装置２６から受信すると、指定情報を記憶部１５２から読み出し、指定情報を含むプロファイルを情報取得装置２６に送信する（図８のステップ１２０５）。情報取得装置２６は、携帯装置１６からプロファイルを受信し、受信したプロファイルに指定情報が含まれていることを確認すると（図７のステップ１１０３）、チャイムを鳴らし、指定情報を含むプロファイルを表示部１２５に表示させる（図７のステップ１１０５、図８のステップ１２０６）。
【００５７】
続いて、情報取得装置２６は、プロファイルおよびその受信日時の情報を記憶部１２７に格納する（図７のステップ１１０６、図８のステップ１２０７）。居住者が在宅していれば、居住者は、チャイムで訪問者が玄関前に居ることを認識し、表示部１２５に表示された指定情報で訪問者が誰であるかをより確実に認識できる。一方、居住者が不在のときに誰か訪問してきても、居住者は、記憶部１２７に保存された指定情報およびその受信日時を帰宅後に見ることで、誰が何時に訪問してきたかを知ることができる。
【００５８】
なお、携帯装置１６が指定情報要求信号の受信に失敗する場合も考えられるため、図７のステップ１１０８に示すように、指定情報要求信号の送信を、予め決めた回数ｍ（ｍは２以上の整数）に達するまで行うようにしてもよい。
【００５９】
また、図７ではステップ１１０８で、指定情報の要求回数がｍに達すると、制御部１２３は、そのまま処理を終了しているが、携帯装置１６からプロファイルを受信しているので、プロファイルとその受信日時を記憶部１２７に保存してから処理を終了してもよい。この場合、指定情報を提供しない訪問者の訪問履歴が残り、防犯に役立つ。
【００６０】
本実施形態では、居住者は、訪問者の携帯装置から指定情報を取得することで、訪問者が誰なのか、より確実にわかる効果が得られる。
【００６１】
なお、上述の実施形態では、子機および親機が有線の信号線で接続されている場合で説明したが、子機および親機が無線で通信を行ってもよい。また、情報取得装置は、上述した構成の他に、電話機能および撮影機能のうち、少なくともいずれかの機能を実行するための構成を有していてもよい。
【００６２】
また、上述の実施形態では、情報取得装置を住宅に設置する場合で説明したが、情報取得装置を設置する場所は住宅に限らない。本発明の情報取得装置を、会社や会員制店舗など、不審者の侵入に対する防止対策が必要な建物や部屋に設置してもよい。
【符号の説明】
【００６３】
１０、１６    携帯装置
２０、２６    情報取得装置
１１１、１２１    無線通信部
１１２    ＲＦタグ
１２２    ＲＦタグ通信部
１２３    制御部
１２５    表示部
１２７    記憶部
【図１】
2012199881.tif 000003
【図２】
2012199881.tif 000004
【図３】
2012199881.tif 000005
【図４】
2012199881.tif 000006
【図５】
2012199881.tif 000007
【図６】
2012199881.tif 000008
【図７】
2012199881.tif 000009
【図８】
2012199881.tif 000010